(57)【要約】【課題】本発明は魚釣用リールに関し、ハンドルをユニット化してこれをリール本体に着脱自在に構成するに当たり、誤操作することなくユニット化したハンドルをリール本体から取り外すことができると共に、リール全体の大型化を防止した魚釣用リールを提供することを目的とする。【解決手段】リール本体に装着した巻取り駆動機構と、ハンドルが取り付くハンドル軸とに回止め係合部を設けて、ハンドル軸と巻取り駆動機構を当該回止め係合部を介して係脱自在に連結し、ハンドル軸内に、リール本体外方へ突出する操作部を一端側に設けた操作体をハンドル軸の軸方向へ移動可能に挿着すると共に、ハンドル軸と当該ハンドル軸を挿入するリール本体側のハンドル軸挿入部との間に、リール本体からのハンドル軸の抜脱を規制し、且つ上記操作部による操作体の押圧操作でハンドル軸の抜脱を規制解除するロック手段を設けた。【選択図】      図１
2004275117.tif 000002
【特許請求の範囲】
【請求項１】
リール本体に装着した巻取り駆動機構と、ハンドルが取り付くハンドル軸とに回止め係合部を設けて、ハンドル軸と巻取り駆動機構を当該回止め係合部を介して係脱自在に連結し、
ハンドル軸内に、リール本体外方へ突出する操作部を一端側に設けた操作体をハンドル軸の軸方向へ移動可能に挿着すると共に、
ハンドル軸と当該ハンドル軸を挿入するリール本体側のハンドル軸挿入部との間に、リール本体からのハンドル軸の抜脱を規制し、且つ上記操作部による操作体の押圧操作でハンドル軸の抜脱を規制解除するロック手段を設けたことを特徴とする魚釣用リール。
【発明の詳細な説明】
【０００１】
【発明の属する技術分野】
本発明は、リール本体に回転自在に支持されたスプールを巻取り駆動するハンドルを備えた魚釣用リールに関する。
【０００２】
【従来の技術】
従来周知のように、魚釣用リールに於ける釣糸の巻取り操作は、リール本体の巻取り駆動機構に連結されたハンドルによって行われている。
そして、従来、この種のハンドルは、ハンドルアームとその端部に回転可能に取り付くツマミ（ハンドルノブ）とで構成されており、ハンドルアームはリール本体の一方の側板から外方に突出するハンドル軸の端部に固着され、ハンドル軸とスプールとの間に、駆動ギヤとピニオン等からなる巻取り駆動機構が装着されている。
【０００３】
ところで、ハンドルアームの突出量を少なくして携帯性を良くするため、ハンドルアームを折畳み可能な構成とすることが従来から一般的に知られているが、この構成によってハンドルアームの突出量は少なくなるものの、リール本体の一方の側板にハンドルアームが装着されていることにより、依然として携帯及び収納等の取扱上、ハンドルアームが邪魔になるという問題は解決されていない。
【０００４】
一方、ハンドルとハンドル軸とをユニット化して、このハンドルユニットをリール本体の巻取り駆動機構に着脱自在に連結したものが下記の特許文献１に開示されている。
図９は特許文献１に開示されたハンドルユニットを示し、このハンドルユニット１は、図示しないリール本体に装着された巻取り駆動機構の筒軸の軸孔に挿脱自在なハンドル軸３に、筒状止具５を介してハンドルアーム７を固着し、当該筒状止具５の外端部に、カム面９を有しハンドル軸３の軸孔１１に挿通するロック棒１３を連結したロックレバー１５を回動可能に装着すると共に、ハンドル軸３の挿入側端部（ロック棒１３の外周）に弾性変形可能なロック体１７を設けたもので、ロックレバー１５を一方向へ回転操作してロック棒１３を矢印Ａ方向へ移動させると、図９の如くロック体１７がロック棒１３により弾性変形してハンドル軸３を前記筒軸と一体化し、また、図１０に示すようにロックレバー１５を他方向に回転操作してロック棒１３を矢印Ｂ方向へ移動させると、ロック体１７の弾性変形が解除されてハンドル軸３がリール本体（筒軸）から取り外し可能となるように構成されている。
【０００５】
【特許文献１】
実開昭５９−７７８８２号公報（第１頁、第４図）
【０００６】
【発明が解決しようとする課題】
しかし乍ら、上記従来例は、カム面９を有するロックレバー１５をハンドルアーム７の外側に配置して回動操作する構造上、ハンドル軸方向の突出量が大きくなってリール全体が大型化してしまうと共に、ロックレバー１５の回転方向とハンドルアーム７（ハンドル）の巻取り回転方向が同方向のため、巻取り操作中に誤ってロックレバー１５を回転させて、ハンドルユニット１をリール本体から外してしまう虞があった。
【０００７】
本発明は斯かる実情に鑑み案出されたもので、ハンドルをユニット化してこれをリール本体に着脱自在に構成するに当たり、誤操作することなくユニット化したハンドルをリール本体から取り外すことができると共に、リール全体の大型化を防止した魚釣用リールを提供することを目的とする。
【０００８】
【課題を解決するための手段】
斯かる目的を達成するため、請求項１に係る魚釣用リールは、リール本体に装着した巻取り駆動機構と、ハンドルが取り付くハンドル軸とに回止め係合部を設けて、ハンドル軸と巻取り駆動機構を当該回止め係合部を介して係脱自在に連結し、ハンドル軸内に、リール本体外方へ突出する操作部を一端側に設けた操作体をハンドル軸の軸方向へ移動可能に挿着すると共に、ハンドル軸と当該ハンドル軸を挿入するリール本体側のハンドル軸挿入部との間に、リール本体からのハンドル軸の抜脱を規制し、且つ上記操作部による操作体の押圧操作でハンドル軸の抜脱を規制解除するロック手段を設けたことを特徴とする。
【０００９】
（作用）
請求項１に係る発明によれば、巻取り駆動機構とハンドル軸に設けた回止め係合部によって、ハンドル軸が巻取り駆動機構に係脱自在に連結される。
また、ハンドル軸とリール本体側のハンドル軸挿入部との間に設けたロック手段が、リール本体からのハンドル軸の抜脱を規制する。
【００１０】
そして、操作部による操作体の押圧操作でロック手段によるハンドル軸の抜脱が規制解除されて、ハンドル軸が取り外し可能となる。
【００１１】
【発明の実施の形態】
以下、本発明の実施形態を図面に基づいて詳細に説明する。
【００１２】
図１乃至図５は請求項１に係る魚釣用リールの第一実施形態を示し、図１に於て、２１は所定間隔を置いて対向配置された一対のサイドフレーム２３，２５と、両サイドフレーム２３，２５を連結する複数本の連結体２７からなるリール本体で、サイドフレーム２３，２５間に、軸受２９，３１を介して支持軸３３が軸方向（図中、矢印Ｃ，Ｄ方向）に変位可能に支持されると共に、当該支持軸３３に対し相対移動可能な一対の軸受３５，３７を介してスプール３９が支持軸３３の中央部に回転可能に支持されている。
【００１３】
そして、サイドフレーム２３側には、従来と同様、スプール３９の一端側のフランジ４１にボルト締めされたドラグディスク４３と、当該ドラグディスク４３を挟んで対向配置された一対のドラグワッシャ４５，４７からなるドラグ機構４９が装着されており、両ドラグワッシャ４５，４７は、夫々、支持軸３３の一端側の回止め嵌合部５１に回止め嵌合されたワッシャ取付プレート５３，５５に取り付けられている。
【００１４】
而して、ワッシャ取付プレート５３，５５は支持軸３３の軸方向に沿って回止め嵌合部５１に移動可能に取り付くと共に、支持軸３３を中心に両ワッシャ取付プレート５３，５５間に張架されたコイルスプリング５７によって、ドラグディスク４３から離間する方向（図中、矢印方向）に付勢されている。
また、図中、５９はドラグ機構４９を保護する防水カバーで、当該防水カバー５９はスプール３９の一端側に螺着され、当該防水カバー５９とワッシャ取付プレート５３との間にＯ−リング（シール部材）６１が装着されている。
【００１５】
一方、支持軸３３の他端側はサイドフレーム２５から外部に突出し、当該突出端に、従来周知のドラグ力調節レバー６３とドラグ力微調節レバー６５が取り付けられており、両レバー６３，６５の回動操作で支持軸３３が矢印Ｃ，Ｄ方向に移動して、前記ドラグワッシャ４５，４７がドラグディスク４３を挟持するドラグ機構４９の作動状態と、図１の如くドラグワッシャ４５，４７がドラグディスク４３から離間するドラグ機構４９の非作動状態とに切り換わるようになっている。そして、ドラグ機構４９の作動状態で後述するハンドル６７を巻取り操作すると、ドラグワッシャ４５，４７とドラグディスク４３を介して支持軸３３からハンドル回転の駆動力が伝達されてスプール３９が回転し、また、両レバー６３，６５の操作でドラグ機構４９が非作動状態、即ち、ドラグワッシャ４５，４７がドラグディスク４３から離間すると、スプール３９がフリー回転状態となって仕掛けの繰出しが可能となるように構成されている。
【００１６】
そして、サイドフレーム２５内に、駆動ギヤ６９とピニオン７１からなる巻取り駆動機構７３が装着され、当該巻取り駆動機構７３にハンドルユニット７５が着脱自在に連結されている。
即ち、図１及び図２に示すようにサイドフレーム２５の下部には、既述した支持軸３３に沿って外方に突出する筒状のユニット取付部７７が突設されている。そして、その中央に設けられた貫通孔７９に、カラーからなる支持筒８１がサイドフレーム２５の外側から圧入，挿着されており、その略中央の内周８２には、後述するボールロック８３が係合する環状溝８５が周方向に設けられている。
【００１７】
そして、上記支持筒８１の挿入側端部に、駆動ギヤ６９に一体成形された筒状の駆動部８７が回転可能に挿入されており、駆動部８７は駆動ギヤ６９と回転中心を同じくする。そして、当該駆動部８７を介して駆動ギヤ６９が支持筒８１に回転可能に支持されており、駆動ギヤ６９は、支持軸３３の外周に一体成形されたピニオン７１に噛合している。
【００１８】
一方、図２乃至図４に示すように駆動部８７の挿入側端部には、断面非円形の回止め係合部８９がその軸方向に突設されており、当該回止め係合部８９に、ハンドル軸９１の先端に設けた断面非円形の連結部（回止め係合部）９３が係脱可能となっている。
而して、ハンドル軸９１は支持筒８１内に挿入可能且つ回転可能な外形形状を有し、その挿入側端部に前記連結部９３が一体成形されている。そして、ユニット取付部７７から外方に突出するハンドル軸９１の他端部に形成された非円形の止着部９５に、ピン９７と２つの支持部材９９，１０１、そして、ハンドル軸９１に形成された操作体挿入孔１０３の開口部を閉塞するプラグ１０５等を介して、ハンドル６７のハンドルアーム１０７が止着されている。
【００１９】
図２に示すように操作体挿入孔１０３は、ハンドル軸９１と中心軸を同じくして当該ハンドル軸９１に形成されており、ユニット取付部７７から外方に突出するハンドル軸９１の他端側に開口し、この開口部を上記プラグ１０５が閉塞している。
そして、上記操作体挿入孔１０３内に、挿入先端側から大径部１０９，テーパ部１１１，小径部１１３が順次形成された操作体１１５が挿入されており、当該操作体１１５は、大径部１０９と操作体挿入孔１０３の底部との間に装着されたコイルスプリング１１７によって、常時矢印Ｅ方向（ユニット取付部７７の外方）へ付勢されている。そして、斯様にバネ付勢された操作体１１５は、図２に示すように操作体１１５の略中央部に止着した円形状のストッパ１１８がプラグ１０５に当接して所定の位置に保持されている。
【００２０】
また、操作体１１５の後端側は前記プラグ１０５を貫通して、外方に突出するその端部に平面視円形状の操作部１１９が一体に成形されており、コイルスプリング１１７のバネ力に抗して当該操作部１１９を押圧操作することで、操作体１１５が操作体挿入孔１０３内に押し込まれるようになっている。
そして、図２乃至図４に示すようにハンドル軸９１の周壁には、外方に向かってやや縮径する複数のボールロック取付孔１２１が設けられており、各ボールロック取付孔１２１に、夫々、ボールロック８３が１つずつ配されている。そして、図２の如くコイルスプリング１１７によってバネ付勢された操作体１１５が、プラグ１０５にストッパ１１８が当接して所定位置に保持されているとき、操作体１１５の大径部１０９が、各ボールロック８３を夫々のボールロック取付孔１２１から外方に押し出して支持筒８１の内周８２の環状溝８５に係合させ、また、斯様にボールロック８３が環状溝８５に係合するとき、ハンドル軸９１の先端の連結部９３が前記駆動部８７側の回止め係合部８９に係合するようになっている。
【００２１】
而して、斯様に各ボールロック８３が環状溝８５に係合することで、ハンドル軸９１と操作体１１５，ボールロック８３，コイルスプリング１１７、そして、ハンドル軸９１に取り付くハンドル６７からなるハンドルユニット７５が、ユニット取付部７７内にロック（固定）されるようになっている。
従って、このロック状態でハンドル６７を巻取り操作すれば、各ボールロック８３が環状溝８５内を転動し乍らハンドル軸９１が回転して、この巻取り駆動力が駆動ギヤ６９からピニオン７１を介して支持軸３３に伝達される。
【００２２】
そして、図２の状態から図３に示すようにコイルスプリング１１７のバネ力に抗して操作体１１５を操作体挿入孔１０３内に押し込むと、ボールロック８３をボールロック取付孔１２１から外方に押し出していた大径部１０９が前方に移動するため、押し出されていたボールロック８３がテーパ部１１１に沿ってハンドル軸９１内に移動し、この結果、ボールロック８３と環状溝８５との係合状態が解除されて、図４の如くこの状態でハンドルユニット７５がユニット取付部７７から取り出せるようになっている。
【００２３】
尚、図５中、１２３はハンドルユニット７５の取出し後のユニット取付部７７を閉塞するゴム製のキャップで、当該キャップ１２３は、ユニット取付部７７の外周を覆うキャップ本体１２５と支持筒８１の内周８２に挿入される挿入部１２７とからなり、当該挿入部１２７の先端側外周に、前記環状溝８５に係合する突条１２９が形成されてキャップ１２３の脱落防止が図られている。
【００２４】
また、外したハンドルユニット７５をユニット取付部７７に取り付けるには、操作体１１５を押圧操作して、図４の如くハンドル軸９１内にボールロック８３を収納した状態でハンドル軸９１を支持筒８１内に挿入すればよく、挿入後、操作体１１５（操作部１１９）から手を離せば、コイルスプリング１１７の復元力で操作体１１５が図２の位置に移動し、ボールロック８３が大径部１０９により外方に押し出されて環状溝８５に係合するようになっている。
【００２５】
その他、図２に於て、１３１はボールロック取付孔１２１の外側周縁部に埋設された保護プレートで、当該保護プレート１３１によってボールロック取付孔１２１の形状保護が図られると共に、ボールロック８３の脱落防止が図られている。
本実施形態に係る魚釣用リール１３３はこのように構成されているから、図２の如くハンドルユニット７５をユニット取付部７７に固定し、そして、既述したドラグ力調節レバー６３とドラグ力微調節レバー６５の操作でドラグ機構４９を作動状態にしてハンドル６７を巻取り操作すれば、各ボールロック８３が環状溝８５内を転動し乍らハンドル軸９１が回転し、この巻取り駆動力が駆動ギヤ６９からピニオン７１，支持軸３３に伝達されてスプール３９が回転する。
【００２６】
そして、釣りを終えて魚釣用リール１３３をケース等に収納するに当たり、図２の状態から図３に示すようにコイルスプリング１１７のバネ力に抗して操作体１１５を操作体挿入孔１０３内に押し込めば、ボールロック８３をボールロック取付孔１２１から外方に押し出していた大径部１０９が前方に移動し、押し出されていたボールロック８３がテーパ部１１１に沿ってハンドル軸９１内に移動するため、ボールロック８３と環状溝８５との係合状態が解除されて、ハンドルユニット７５がユニット取付部７７（支持筒８１）から取り出し可能となる。
【００２７】
従って、図４の如くこの状態でハンドルユニット７５をユニット取付部７７から取り出せばよく、この後、図５に示すようにユニット取付部７７をキャップ１２３で閉塞すればよい。
また、次回の実釣時に魚釣用リール１３３を使用するには、キャップ１２３を外し、図４の如くハンドルユニット７５の操作体１１５を押圧操作してハンドル軸９１内にボールロック８３を収納した状態で、ハンドル軸９１をユニット取付部７７の支持筒８１内に挿入すればよく、挿入後、操作体１１５（操作部１１９）から手を離せば、コイルスプリング１１７の復元力で操作体１１５が図２の位置に移動し、ボールロック８３が大径部１０９により外方に押し出されて環状溝８５に係合し、ハンドルユニット７５がユニット取付部７７にロックされる。
【００２８】
このように本実施形態は、ハンドルユニット７５を構成する操作体１１５をハンドル軸９１の軸方向に押し込むことにより、巻取り駆動機構７３との連結を解除してハンドルユニット７５をユニット取付部７７（リール本体２１のサイドフレーム２５）から取り外し可能としたので、簡単な指の押圧操作でハンドルユニット７５をリール本体２１の巻取り駆動機構７３から誤操作することなく分離できると共に、図９の従来例に比しハンドル軸９１端部外方への突出量が少なくなって、リール全体の大型化を防止することが可能となった。
【００２９】
図６乃至図８は請求項１に係る魚釣用リールの第二実施形態を示し、本実施形態は、既述した駆動ギヤの駆動部を支持筒内に延設して、これにハンドルユニットを着脱自在としたものである。
以下、本実施形態を図面に基づいて説明するが、上記第一実施形態と同一のものは同一符号を付してそれらの構造説明は省略する。
【００３０】
図６乃至図７に於て、８１−１はユニット取付部７７の貫通孔７９に圧入，挿着された支持筒で、第一実施形態の支持筒８１と異なり、支持筒８１−１の内周８２−１には環状溝は設けられていない。
また、図中、８７−１は支持筒８１−１の内周８２−１に沿ってユニット取付部７７の貫通孔７９外方まで延設された駆動ギヤ６９の駆動部で、その内周に、後述するボールロック８３が係合する環状溝１３５が周方向に形成されている。そして、当該駆動部８７−１を介して駆動ギヤ６９が支持筒８１−１に回転可能に支持されており、第一実施形態と同様、駆動ギヤ６９は支持軸３３の外周に一体成形されたピニオン７１に噛合している。
【００３１】
一方、図７及び図８に示すように駆動部８７−１には、ユニット取付部７７の外方に開口するハンドル軸挿入孔１３７が、当該駆動部８７−１と中心軸を同じくして形成されており、その底部側に回止め係合部１３９が設けられている。そして、上記ハンドル軸挿入孔１３７に、ハンドルユニット７５−１が着脱自在に取り付けられている。
【００３２】
即ち、図７中、９１−１は上記ハンドル軸挿入孔１３７内に挿入可能且つ回転可能な外形形状を有するハンドル軸で、その挿入側端部の外周に前記回止め係合部１３９に係合可能な連結部（回止め係合部）１４１が成形されている。
また、ハンドル軸９１−１には、ユニット取付部７７の外方に開口する操作体挿入孔１４３が、当該ハンドル軸９１−１と中心軸を同じくして形成されており、その開口部をプラグ１０５が閉塞している。そして、ユニット取付部７７から外方に突出するハンドル軸９１−１の他端部に形成された非円形の止着部９５−１に、第一実施形態と同様、ピン９７と２つの支持部材９９，１０１，プラグ１０５等を介してハンドル６７のハンドルアーム１０７が止着されている。
【００３３】
そして、上記操作体挿入孔１４３内に操作体１１５が挿入されており、当該操作体１１５は、大径部１０９と操作体挿入孔１４３の底部との間に装着されたコイルスプリング１１７によって、常時矢印Ｆ方向（ユニット取付部７７の外方）へ付勢されている。そして、斯様にバネ付勢された操作体１１５は、図７に示すように操作体１１５の略中央部に止着した円形状のストッパ１１８がプラグ１０５に当接して所定の位置に保持されている。
【００３４】
また、第一実施形態と同様、操作体１１５の後端側は前記プラグ１０５を貫通して、外方に突出するその端部に平面視円形状の操作部１１９が一体に成形されており、コイルスプリング１１７のバネ力に抗して当該操作部１１９を押圧操作することで、操作体１１５が操作体挿入孔１４３内に押し込まれるようになっている。
【００３５】
更にまた、図７及び図８に示すようにハンドル軸９１−１の周壁には、外方に向かってやや縮径する複数のボールロック取付孔１２１が設けられており、各ボールロック取付孔１２１に、夫々、ボールロック８３が１つずつ配されている。そして、図７の如くコイルスプリング１１７によってバネ付勢された操作体１１５が、プラグ１０５にストッパ１１８が当接して所定位置に保持されているとき、操作体１１５の大径部１０９が、各ボールロック８３を夫々のボールロック取付孔１２１から外方に押し出して駆動部８７−１側に設けた環状溝１３５に係合させ、また、斯様にボールロック８３が環状溝１３５に係合するとき、ハンドル軸９１−１の先端の連結部１４１が、駆動部８７−１側の回止め係合部１３９に係合するようになっている。
【００３６】
このように各ボールロック８３が環状溝１３５に係合することで、ハンドル軸９１−１と操作体１１５，ボールロック８３，コイルスプリング１１７、そして、ハンドル軸９１−１に取り付くハンドル６７からなるハンドルユニット７５−１が、ユニット取付部７７内にロック（固定）されるようになっている。
従って、このロック状態でハンドル６７を巻取り操作すれば、その巻取り駆動力がハンドル軸９１から駆動部８７−１，駆動ギヤ６９を経てピニオン７１，支持軸３３に伝達される。
【００３７】
そして、図７の状態で、コイルスプリング１１７のバネ力に抗して操作体１１５を操作体挿入孔１４３内に押し込むと、ボールロック８３をボールロック取付孔１２１から外方に押し出していた大径部１０９が前方に移動するため、押し出されていたボールロック８３がテーパ部１１１に沿ってハンドル軸９１−１内に移動し、この結果、ボールロック８３と環状溝１３５との係合状態が解除されて、図８の如くこの状態でハンドルユニット７５−１がユニット取付部７７から取り出せるようになっている。
【００３８】
また、外したハンドルユニット７５−１をユニット取付部７７に取り付けるには、操作体１１５を押圧操作して、図８の如くハンドル軸９１−１内にボールロック８３を収納した状態でハンドル軸９１−１を駆動部８７−１のハンドル軸挿入孔１３７内に挿入すればよく、挿入後、操作体１１５（操作部１１９）から手を離せば、コイルスプリング１１７の復元力で操作体１１５が図７の位置に移動し、ボールロック８３が大径部１０９により外方に押し出されて環状溝１４５に係合するようになっている。
【００３９】
本実施形態に係る魚釣用リール１３３−１はこのように構成されているから、図７の如くハンドルユニット７５−１をユニット取付部７７に固定し、そして、ドラグ力調節レバー６３とドラグ力微調節レバー６５の操作でドラグ機構４９を作動状態にしてハンドル６７を巻取り操作すれば、ハンドル軸９１−１の巻取り駆動力が駆動部８７−１，駆動ギヤ６９，ピニオン７１，支持軸３３に伝達されてスプール３９が回転する。
【００４０】
そして、釣りを終えて魚釣用リール１３３−１をケース等に収納するに当たり、図２の状態からコイルスプリング１１７のバネ力に抗して操作体１１５を操作体挿入孔１４３内に押し込めば、既述したようにボールロック８３と環状溝１４５との係合状態が解除されて、ハンドルユニット７５−１がユニット取付部７７（駆動部８７−１）から取り出し可能となる。
【００４１】
従って、この状態で図８の如くハンドルユニット７５−１をユニット取付部７７から取り出せばよく、この後、図示しないが第一実施形態と同様、ユニット取付部７７をキャップ１２３で閉塞すればよい。
また、次回の実釣時に魚釣用リール１３３−１を使用するには、キャップ１２３を外し、図８の如くハンドルユニット７５−１の操作体１１５を押圧操作してハンドル軸９１−１内にボールロック８３を収納した状態で、ハンドル軸９１−１をユニット取付部７７（駆動部８７−１）のハンドル軸挿入孔１３７内に挿入すればよく、挿入後、操作体１１５（操作部１１９）から手を離せば、コイルスプリング１１７の復元力で操作体１１５が図７の位置に移動し、ボールロック８３が大径部１０９により外方に押し出されて環状溝１４５に係合し、ハンドルユニット７５−１がユニット取付部７７にロックされる。
【００４２】
このように本実施形態も、ハンドルユニット７５−１を構成する操作体１１５をハンドル軸９１−１の軸方向に押し込むことにより、巻取り駆動機構７３との連結を解除してハンドルユニット７５−１をユニット取付部７７（リール本体２１のサイドフレーム２５）から取り外し可能としたので、簡単な指の押圧操作でハンドルユニット７５−１をリール本体２１の巻取り駆動機構７３から誤操作することなく分離できると共に、図９の従来例に比しハンドル軸９１−１端部外方への突出量が少なくなって、リール全体の大型化を防止することが可能となる。
【００４３】
【発明の効果】
以上述べたように、請求項１に係る発明によれば、簡単な指の押圧操作で、ハンドルやハンドル軸をリール本体の巻取り駆動機構から誤操作することなく分離できると共に、従来に比しハンドル軸端部外方への突出量が少なくなって、リール全体の大型化を防止することが可能となった。
【図面の簡単な説明】
【図１】請求項１の第一実施形態に係る魚釣用リールの断面図である。
【図２】図１に示す魚釣用リールの要部拡大断面図である。
【図３】図１に示す魚釣用リールの要部拡大断面図である。
【図４】図１に示す魚釣用リールの要部拡大断面図である。
【図５】図１に示す魚釣用リールの要部拡大断面図である。
【図６】請求項１の第二実施形態に係る魚釣用リールの断面図である。
【図７】図６に示す魚釣用リールの要部拡大断面図である。
【図８】図６に示す魚釣用リールの要部拡大断面図である。
【図９】従来の魚釣用リールに取り付くハンドルユニットの断面図である。
【図１０】従来の魚釣用リールに取り付くハンドルユニットの断面図である。
【符号の説明】
２１  リール本体
２３，２５  サイドフレーム
３３  支持軸
３９  スプール
４３  ドラグディスク
４５，４７  ドラグワッシャ
４９  ドラグ機構
６３  ドラグ力調節レバー
６５  ドラグ力微調節レバー
６７  ハンドル
６９  駆動ギヤ
７１  ピニオン
７３  巻取り駆動機構
７５，７５−１  ハンドルユニット
７７  ユニット取付部
８１，８１−１  支持筒
８３  ボールロック
８５，１４５  環状溝
８７，８７−１  駆動部
８９，１３９  回止め係合部
９１，９１−１  ハンドル軸
９３，１４１  連結部（回止め係合部）
１０３，１４３  操作体挿入孔
１１５  操作体
１１７  コイルスプリング
１１９  操作部
１２３  キャップ
１３３，１３３−１  魚釣用リール
【図１】
2004275117.tif 000003
【図２】
2004275117.tif 000004
【図３】
2004275117.tif 000005
【図４】
2004275117.tif 000006
【図５】
2004275117.tif 000007
【図６】
2004275117.tif 000008
【図７】
2004275117.tif 000009
【図８】
2004275117.tif 000010
【図９】
2004275117.tif 000011
【図１０】
2004275117.tif 000012